(57)【要約】      （修正有）【課題】簡単な構造によってトイガンの空撃ち動作を防止することができる、模擬マガジンのセンサー装置を提供する。【解決手段】弾押し部品４が弾を送り出すのと同時に、可動ガイド２の位置を制御し、弾を使い終わるか或いはマガジン１が緩められた時、可動ガイド端部の起動部品３が作動して、トイガンの撃発時に要する電力を切断する。起動部品は、磁気センサーであり、マガジンの装填口に設けられたリードスイッチと、トイガンと電気的に接続されてリードスイッチの開閉状態を検知するためのマイクロコントローラとからなる。以上により、トイガン及び模擬マガジンの外観を変えないという条件の下、簡単な構造によってトイガンの空撃ち動作を防止すると同時に、トイガンの内部メカニズムの破損リスクを低減し、且つ実銃を模する効果が得られる。【選択図】図１
0003195391.tif 000002
【実用新案登録請求の範囲】
【請求項１】
可動ガイドと、起動部品と、弾押し部品とからなる模擬マガジンのセンサー装置であって、
前記可動ガイドは、前記模擬マガジン内に可動に設けられ、
前記起動部品は、トイガンの撃発動作に要する動力を選択的に開閉するため、前記可動ガイドの端部に設けられ、
前記弾押し部品は、選択的に前記可動ガイドに当接して押し動かすため、前記模擬マガジン内に可動に設けられることを特徴とする、模擬マガジンのセンサー装置。
【請求項２】
前記模擬マガジン内には、弾丸を収容するための装弾レールが設けられ、
前記弾押し部品は、前記装弾レール内に可動に設けられるとともに、前記弾押し部品における前記装弾レールの出口から離れた一端には弾押しバネが設けられることを特徴とする、請求項１に記載の模擬マガジンのセンサー装置。
【請求項３】
前記起動部品は、磁気センサーであり、
更に前記起動部品は、前記模擬マガジンの装填口に設けられたリードスイッチと、トイガンと電気的に接続されて前記リードスイッチの開閉状態を検知するためのマイクロコントローラとからなることを特徴とする、請求項１に記載の模擬マガジンのセンサー装置。
【請求項４】
前記弾押し部品の一側には、凸部が設けられ、
前記可動ガイドにおける前記起動部品から離れた一端には、接触部が設けられることを特徴とする、請求項１に記載の模擬マガジンのセンサー装置。
【請求項５】
前記可動ガイドには、スプリングガイドが設けられ、
前記模擬マガジンには、前記可動ガイドの移動範囲を制限するためのストッパー部が設けられることを特徴とする、請求項１に記載の模擬マガジンのセンサー装置。
【請求項６】
前記模擬マガジンの外側には、少なくとも一つの観察窓が設けられ、
前記観察窓の内側には、充填された実弾の外観を模したダミー弾が設けられることを特徴とする、請求項１に記載の模擬マガジンのセンサー装置。
【請求項７】
更に前記模擬マガジンは、内部に内蔵バネを有したケース体と、
前記ケース体内に上下に可動に設けられ且つ前記ケース体底部において前記内蔵バネと接続されたマガジン内部部品と、
前記ケース体内に可動に設けられた模擬弾とからなり、
前記模擬弾は、前記マガジン内部部品における前記内蔵バネから離れた一端と当接し、
更に前記ケース体には、前記マガジン内部部品の上下移動を選択的に限制するためのストッパーブロックが弾性的に嵌設されることを特徴とする、請求項１に記載の模擬マガジンのセンサー装置。
【考案の詳細な説明】
【技術分野】
【０００１】
本考案は、模擬マガジンのセンサー装置に関し、特に簡単な構造によって、弾丸やマガジンの無い状態でトイガンが撃発することを制限するとともに、銃器の破損確率を低下させることができる、模擬マガジンのセンサー装置に関する。
【背景技術】
【０００２】
ミリタリー玩具を好むプレーヤーの需要に応えるため、弾薬がない時、トリガーを動かせないようにしたりボルトの動作を制限したりして、撃発できないようにする方法がある。この種の方法に共通する特徴は、部品を大量に増やすとともに、これらの部品を組合わせて連動させることにより、トイガンの動作を制御して、撃発ができないようにするか、或いは撃発を無効にするという点である。しかし、前述したトイガンを使用する時、下記に挙げる問題や欠点があり、改善が望まれる。
１．部品が雑多で、連動関係が複雑なため、一つの部品がぶつけられたり叩きつけられたりすると、部品の組合せ構造が破損したり、連動に異常が生じたりする可能性がある。
２．材料が繁雑なため、製造コストが高くなり、且つメンテナンスもしにくい。
３．すぐに撃発動作を制限することができるものの、電力は引き続き消費される。
４．使用者は、次の撃発動作が制限されるかどうかを知ることができない。
【考案の概要】
【考案が解決しようとする課題】
【０００３】
そこで、本考案は、弾押し部品が弾丸の輸送を制御し、起動部品がトイガンの動力源を制御するとともに、可動ガイドが弾押し部品と起動部品の間に設けられることにより、弾押し部品が弾丸を輸送し終わった時、可動ガイドが起動部品を作動させ、トイガンの電力源を切断することにより、空砲を撃つことによって生じる電力浪費や機械損傷を防ぐことができる、模擬マガジンのセンサー装置を提供することを目的とする。
【課題を解決するための手段】
【０００４】
上述の目的を達成するため、本考案は、可動ガイドと、起動部品と、弾押し部品とからなる。前記可動ガイドは、前記模擬マガジン内に可動に設けられる。前記起動部品は、前記可動ガイドの端部に設けられるとともに、トイガンの撃発動作に要する動力を選択的に開閉する。前記弾押し部品は、前記模擬マガジン内に可動に設けられるとともに、選択的に前記可動ガイドに当接して押し動かす。以上の構造により、本考案が搭載されたトイガンを使用者が操作する時、模擬マガジンを装填する前は、起動部品が未作動であるため、トイガンは電気的に導通しておらず、撃発できない状態である。弾丸が入った模擬マガジンを装填した後は、すぐに起動部品が起動する。更に、弾押し部品によって弾丸を一つ一つ発射し終えた後、弾押し部品が可動ガイドを押し動かし、これと同時に可動ガイドにおける弾押し部品から離れた一端に位置する起動部品が連動され、起動部品が再び作動して、トイガンの動力源を切断する。以上により、トイガンが空弾を撃たないように保護することができる。
【図面の簡単な説明】
【０００５】
【図１】本考案の斜視図である。
【図２】本考案の実施例１の側面透視図である。
【図３】本考案の実施例１の動作を示した概略図（一）である。
【図４】本考案の実施例１の動作を示した概略図（二）である。
【図５】本考案の実施例２の側面透視図である。
【図６】本考案の実施例２の使用状態図（一）である。
【図７】本考案の実施例２の使用状態図（二）である。
【図８】本考案の実施例２の動作を示した概略図である。
【図９】本考案の実施例３の斜視透視図である。
【図１０】本考案の実施例３の分解図である。
【図１１】本考案の実施例３の動作を示した概略図（一）である。
【図１２】本考案の実施例３の動作を示した概略図（二）である。
【図１３】図１２の部分拡大図である。
【考案を実施するための形態】
【０００６】
（実施例１）
図１、及び図２を参照する。本考案の模擬マガジン１のセンサー装置は、可動ガイド２と、ストッパー部２２と、起動部品３と、装弾レール４１と、弾押し部品４とからなる。可動ガイド２は、模擬マガジン１内に可動に設けられるとともに、スプリングガイド２１を有する。ストッパー部２２は、模擬マガジン１に設けられて、可動ガイド２の移動範囲を制限する。起動部品３は、可動ガイド２の端部に設けられて、トイガンの撃発動作に要する動力を選択的に開閉する。装弾レール４１は、模擬マガジン１内に設けられて、弾丸を収容する。弾押し部品４は、装弾レール４１内に可動に設けられるとともに、選択的に可動ガイド２に当接して押し動かし、且つ弾押し部品４における装弾レール４１開口から離れた一端には弾押しバネ４２が連結される。
【０００７】
図１から図４までを参照する。本考案において弾丸（ＢＢ弾を例とする）を装填する際は、弾押し部品４を装弾レール４１内に押し入れて、ＢＢ弾を一つずつ装弾レール４１に込めていけばよい。また、一つ目のＢＢ弾を込める時、弾押し部品４の可動ガイド２に対する押止は既に解除されており、スプリングガイド２１の弾力で可動ガイド２が回転することにより、可動ガイド２の他端における起動部品３が模擬マガジン１内壁に当接する。しかし、模擬マガジン１を装填する前は、トイガンの電力は起動されない。即ち起動部品３は、マガジンが無い状態を検出して撃発できないようにする。また、ＢＢ弾の充填が終わり、模擬マガジン１を装填した後は、すぐに起動部品３が起動されて、トイガンの駆動モーターが電気的に導通するため、使用者は通常通り操作することができる。更に、最後のＢＢ弾が発射された瞬間、弾押し部品４は、再び可動ガイド２に当接して押し動かし、可動ガイド２をストッパー部２２一側へと寄せる。加えて、起動部品３がトイガンの電気的接続を切ることにより、一時的に再度の撃発ができなくなるため、弾無し状態での撃発が防げる。
【０００８】
（実施例２）
図５〜図８を参照する。実施例２は、上述した実施例１を部分的に変更したものである（図５を参照）。起動部品３ａは、磁気センサーであるとともに、模擬マガジン１ａの装填口に設けられたリードスイッチ３１ａと、トイガンと電気的に接続されてリードスイッチ３１ａの開閉状態を検知するマイクロコントローラ３２ａとを有する。弾押し部品４ａ一側には、凸部４３ａが設けられる。可動ガイド２ａにおける起動部品３ａから離れた一端には、接触部２３ａが設けられる。これらの構造変化により、以下の効果が得られる。まず図６を参照する。模擬マガジン１ａを装填する前は、リードスイッチ３１ａと起動部品３ａが離れた状態であり、この状態を検知したマイクロコントローラ３２ａがトイガンの電力源を切るため、この時のトイガンは撃発に要する動力を有していない。続いて図７を参照する。弾丸充填時の動作は、上述した実施例１とほぼ同様である。唯一異なるのは、凸部４３ａ及び接触部２３ａが加わることによって、弾押し部品４ａと可動ガイド２ａの間における連動関係が安定するという点である。また、模擬マガジン１ａを装填した時、弾がある状態においては、起動部品３ａとリードスイッチ３１ａが互いに接し合っており、この状態を検知したマイクロコントローラ３２ａがトイガンに電力が供給されるよう導通させる。弾丸を使い終った時の動作は、上述の実施例１とほぼ同じであるため、重複記述はしない（図８を参照）。以上のように、起動部品３ａとリードスイッチ３１ａがセンサー起動の装置となることにより、部品が少なく小型・軽量であるだけでなく、更に各々の部品が模擬マガジン１ａ及びフレーム内部に設けられているため、外観を破壊することなく、全体的な擬似性をより高めることができる。加えて、摩損に強い・寿命が長い・反応が素早い・開閉動作が安定しているといった特長を有しており、経済性に優れた非接触型のセンサー装置である。
【０００９】
（実施例３）
図９〜図１３を参照する。模擬マガジン１ｂがより真に迫ったものとなるよう、模擬マガジン１ｂは、内部に内蔵バネ１３ｂが設けられたケース体１１ｂと、ケース体１１ｂ内に上下に可動に設けられ且つケース体１１ｂ底部において内蔵バネ１３ｂと接続されたマガジン内部部品１２ｂと、ケース体１１ｂ内に可動に設けられ且つマガジン内部部品１２ｂにおける内蔵バネ１３ｂから離れた一端と当接した模擬弾１４ｂと、ケース体１１ｂ上に弾性的に嵌設されてマガジン内部部品１２ｂの上下運動を選択的に制限するストッパーブロック１５ｂとからなる。また、視覚的効果として、ケース体１１ｂ上には少なくとも一つの観察窓１１１ｂが設けられ、観察窓１１１ｂ内側には充填された実弾の外観を模したダミー弾１１２ｂが設けられる。これにより、使用者は観察窓１１１ｂから本物のマガジンに弾丸が充填されているかのような感覚を受ける。更に図１１を参照する。上述の構造に基づき、マガジン内部部品１２ｂ上端の模擬弾１４ｂ、及び実銃のマガジンを模したボトムプレートによって、一つ目の弾丸をマガジンに込めた時の強度と感触がより真に迫ったものになる。操作の際は、まず弾押し部品４ｂをマガジン内部部品１２ｂに押入れてから、少なくとも一つの飾り弾５ｂを込める。飾り弾５ｂを込めるのと同時に、圧縮された内蔵バネ１３ｂが、マガジン内部部品１２ｂを落ち込ませることにより、真に迫った操作が可能になる。ＢＢ弾を充填する時は、飾り弾５ｂを取り外して元通り（即ち図９の状態）にする。これと同時に、ストッパーブロック１５ｂを押して、マガジン内部部品１２ｂを把持することにより、ＢＢ弾の充填時に内蔵バネ１３ｂの作用でマガジン内部部品１２ｂが収縮して落ち、逆にスムーズに装填ができなくなることを防ぐ。これにより本考案は、操作しやすく、且つ真に迫っているという進歩性を達成する。
【符号の説明】
【００１０】
１                   模擬マガジン
１ａ          模擬マガジン
１ｂ          模擬マガジン
１１ｂ        ケース体
１１１ｂ      観察窓
１１２ｂ      ダミー弾
１２ｂ        マガジン内部部品
１３ｂ        内蔵バネ
１４ｂ        模擬弾
１５ｂ        ストッパーブロック
２                   可動ガイド
２ａ          可動ガイド
２１          スプリングガイド
２２          ストッパー部
２３ａ        接触部
３                   起動部品
３ａ          起動部品
３１ａ        リードスイッチ
３２ａ        マイクロコントローラ
４                   弾押し部品
４ａ          弾押し部品
４ｂ          弾押し部品
４１          装弾レール
４２          弾押しバネ
４３ａ        凸部
５ｂ          飾り弾
【図１】
0003195391.tif 000003
【図２】
0003195391.tif 000004
【図３】
0003195391.tif 000005
【図４】
0003195391.tif 000006
【図５】
0003195391.tif 000007
【図６】
0003195391.tif 000008
【図７】
0003195391.tif 000009
【図８】
0003195391.tif 000010
【図９】
0003195391.tif 000011
【図１０】
0003195391.tif 000012
【図１１】
0003195391.tif 000013
【図１２】
0003195391.tif 000014
【図１３】
0003195391.tif 000015